(57)【要約】【課題】  ロープの着脱が容易でロープの両端部を簡単、確実に固定可能なロープ留め具を提供する。【解決手段】  方形で板状の留め具本体２１と、本体２１の表裏に貫通して設けられた第１乃至第４のロープ通し孔２２乃至２５を備え、第１乃至第４のロープ通し孔２２乃至２５はゴムロープ１０を挿脱可能な内径を有し、ロープ取り付け対象に巻装した一本のゴムロープ１０の一方の端部１０ａを第１、第２のロープ通し孔２２、２３に挿通し、他方の端部１０ｂを第３、第４のロープ通し孔２４、２５に挿通することでゴムロープ１０の両端部を固定可能である。ゴムロープ１０の一方の端部１０ａの内、第１と第２のロープ通し孔２２、２３の間のゴムロープ１０ｃと、ゴムロープ１０の他方の端部１０ｂの内、第３と第４のロープ通し孔２４、２５の間のゴムロープ１０ｄが重なりあって交差可能になるように第１乃至第４のロープ通し孔２２乃至２５が配設されている。【選択図】      図２
0003213913.tif 000002
【実用新案登録請求の範囲】
【請求項１】
ロープ取り付け対象に巻装したロープの両端部を留めるロープ留め具であって、
４つの第１乃至第４のロープ通し孔の形成された留め具本体を備え、
第１乃至第４のロープ通し孔は、ロープを挿脱可能な内径を有し、
ロープ取り付け対象に巻装した一本のロープの両端部の内、一方の端部を第１、第２のロープ通し孔に挿通し、他方の端部を第３、第４のロープ通し孔に挿通してロープの両端部を留められるようにするとともに、ロープの一方の端部の内、第１と第２のロープ通し孔の間の部分と、ロープの他方の端部の内、第３と第４のロープ通し孔の間の部分が重なりあって交差可能になるように第１乃至第４のロープ通し孔を配設したこと、
を特徴とするロープ留め具。
【請求項２】
各ロープ通し孔は、挿通対象のロープの外径以上の孔長を有していること、
を特徴とする請求項１記載のロープ留め具。
【請求項３】
第２または第４のロープ通し孔と留め具本体の端縁との間にスリットを形成し、スリットの幅をロープの外径より狭くするとともに、スリットにロープを差し込んで外部と第２または第４のロープ通し孔の間で、挿脱自在にしたこと、
を特徴とする請求項１または２記載のロープ留め具。
【請求項４】
ロープはゴムロープであり、
第１乃至第４のロープ通し孔は、ゴムロープの外面を孔壁に摺接させながら挿脱可能な内径を有すること、
を特徴とする請求項１または２または３記載のロープ留め具。
【請求項５】
ロープ取り付け対象に巻装したロープの両端部を留めるロープ留め具であって、
留め具本体と、
留め具本体の表裏に貫通して設けられた第１乃至第６の六つのロープ通し孔を備え、
第１乃至第６のロープ通し孔は、ロープを挿脱可能な内径を有し、
ロープ取り付け対象に巻装した一本のロープの両端部の内、一方の端部を第１、第２、第３のロープ通し孔に挿通し、他方の端部を第４、第５、第６のロープ通し孔に挿通してロープの両端部を留められるようにするとともに、ロープの一方の端部の内、第１と第２のロープ通し孔の間の部分と、ロープの他方の端部の内、第３と第４のロープ通し孔の間の部分が重なりあって交差可能になるように第１乃至第４のロープ通し孔を配設したこと、
を特徴とするロープ留め具。
【請求項６】
各ロープ通し孔は、挿通対象のロープの外径以上の孔長を有していること、
を特徴とする請求項５記載のロープ留め具。
【請求項７】
第２または第４のロープ通し孔と留め具本体の端縁との間にスリットを形成し、
スリットの幅をロープの外径より狭くするとともに、スリットにロープを差し込んで外部と第２または第４のロープ通し孔の間で、挿脱自在にしたこと、
を特徴とする請求項５または６記載のロープ留め具。
【請求項８】
ロープはゴムロープであり、
第１乃至第６のロープ通し孔は、ゴムロープの外面を孔壁に摺接させながら挿脱可能な内径を有すること、
を特徴とする請求項５または６または７記載のロープ留め具。
【考案の詳細な説明】
【技術分野】
【０００１】
本考案はロープ留め具に係り、とくにロープ取り付け対象に巻き掛けたゴムロープの両端を一箇所で留めたい場合に好適なロープ留め具に関する。
【背景技術】
【０００２】
例えば、マンション、オフィスビル等の建築物の修繕を行う場合、多数の建枠部材を用いて建築物の周囲に仮設足場を組み上げ、防護シートを足場部材に取り付けて覆い、落下物の飛び出し、粉塵の飛散、騒音の発生等を防止するようにしている。
従来、防護シートの取り付けは、図１に示す如く、上下方向に配設された建枠部材１に沿って、建枠部材１の左右両側に沿って防護シート２と防護シート３を隣接させて配設し、建枠部材１を輪状に囲みながら防護シート２のハトメ４と防護シート３のハトメ５にロープ６を通し、縛ることで行っていたため、ロープの着脱に時間と手間が掛かっていた。
【考案の概要】
【考案が解決しようとする課題】
【０００３】
本考案は上記した従来技術の問題に鑑みなされたもので、ロープの着脱が容易でロープの両端部を簡単、確実に固定可能なロープ留め具を提供することを、その目的とする。
【課題を解決するための手段】
【０００４】
請求項１記載の考案では、
ロープ取り付け対象に巻装したロープの両端部を留めるロープ留め具であって、
４つの第１乃至第４のロープ通し孔の形成された留め具本体を備え、
第１乃至第４のロープ通し孔は、ロープを挿脱可能な内径を有し、
ロープ取り付け対象に巻装した一本のロープの両端部の内、一方の端部を第１、第２のロープ通し孔に挿通し、他方の端部を第３、第４のロープ通し孔に挿通してロープの両端部を留められるようにするとともに、ロープの一方の端部の内、第１と第２のロープ通し孔の間の部分と、ロープの他方の端部の内、第３と第４のロープ通し孔の間の部分が重なりあって交差可能となるように第１乃至第４のロープ通し孔を配設したこと、
を特徴としている。
請求項２記載の考案では、
各第１乃至第４のロープ通し孔は、挿通対象のロープの外径以上の孔長を有していること、
を特徴としている。
請求項３記載の考案では、
第２または第４のロープ通し孔と留め具本体の端縁との間にスリットを形成し、
スリットの幅をロープの外径より狭くするとともに、ロープをスリットに差し込んで留め具本体の外部と第２または第４のロープ通し孔の間で、挿脱自在にしたこと、
を特徴としている。
請求項４記載の考案では、
ロープはゴムロープであり、
第１乃至第４のロープ通し孔は、ゴムロープの外面を孔壁に摺接させながら挿脱可能な内径を有すること、
を特徴としている。
請求項５記載の考案では、
ロープ取り付け対象に巻装したロープの両端部を留めるロープ留め具であって、
６つの第１乃至第６のロープ通し孔が形成された留め具本体を備え、
第１乃至第６のロープ通し孔は、ロープを挿脱可能な内径を有し、
ロープ取り付け対象に巻装した一本のロープの両端部の内、一方の端部を第１、第２、第３のロープ通し孔に挿通し、他方の端部を第４、第５、第６のロープ通し孔に挿通してロープの両端部を留められるようにするとともに、ロープの一方の端部の内、第１と第２のロープ通し孔の間の部分と、ロープの他方の端部の内、第３と第４のロープ通し孔の間の部分が重なりあって交差可能になるように第１乃至第４のロープ通し孔を配設したこと、
を特徴としている。
請求項６記載の考案では、
各第１乃至第６のロープ通し孔は、挿通対象のロープの外径以上の孔長を有していること、
を特徴としとている。
請求項７記載の考案では、
第３または第６のロープ通し孔と留め具本体の端縁との間にスリットを形成し、スリットの幅をロープの外径より狭くするとともに、スリットにロープを差し込んで外部と第３または第６のロープ通し孔の間で、挿脱自在に形成したこと、
を特徴としている。
請求項８記載の個案では、ロープはゴムロープであり、
第１乃至第６のロープ通し孔は、ゴムロープの外面を孔壁に摺接させながら挿脱可能な内径を有すること、
を特徴としている。
【考案の効果】
【０００５】
本考案によれば、ロープ取り付け対象へのロープの着脱が容易で、かつ、ロープ取り付け対象に巻装したロープの両端部を簡単に一箇所で確実に固定することができるロープ留め具を提供することを、その目的とする。
【図面の簡単な説明】
【０００６】
【図１】仮設足場に設置される防護シートの従来の取り付け方法の問題点の説明図である。
【図２】本考案の一実施例に係るロープ留め具の使用状態を示す一部省略した斜視図である（実施例１）。
【図３】図２中の留め具本体の正面図である。
【図４】図４は図３のＡ−Ａ’線に沿った断面図である。
【図５】図５は図３のＢ−Ｂ’線に沿った断面図である。
【図６】図２の留め具本体の変形例の説明図である。
【図７】図２の留め具本体の他の変形例の使用状態を示す説明図である。
【考案を実施するための最良の形態】
【０００７】
以下、本考案の最良の形態を実施例に基づき説明する。
【実施例１】
【０００８】
図２乃至図５を参照して本考案の一実施例を説明する。図２は本考案に係るロープ留め具の使用状態を示す一部省略した斜視図、図３は図２中の留め具本体の正面図、図４は図３のＡ−Ａ’線に沿った断面図、図５は図３のＢ−Ｂ’線に沿った断面図である。
図２乃至図５において、１は仮設足場の構造物の１つであり、上下方向に立設された建枠部材、２と３は建枠部材１を挟んで左右に隣接する防護シートであり、防護シート２の右側端縁７と防護シート３の左側端縁８が建枠部材１の両側に沿って配設されている。
【０００９】
防護シート２と３は、伸縮性の有るゴムロープ１０とロープ留め具２０により建枠部材１に固定されている。すなわち、防護シート２と３のハトメ４と５及び建枠部材１をロープ取り付け対象として、ゴムロープ１０がハトメ４、建枠部材１、ハトメ５に輪状に巻装されるとともにゴムロープ１０の両端部１０ａ、１０ｂがロープ留め具２０に取り付けられて固定されている。ロープ留め具２０は略長方形の板状で木製の留め具本体（自在金具）２１を備えている。
留め具本体２１は図３に示す如く、長方形の対角線の端点を成すようにして表裏を貫通して穿設された４つの第１乃至第４のロープ通し孔２２乃至２５を備えている。
【００１０】
第１乃至第４のロープ通し孔２２乃至２５は、ゴムロープ１０の両端部の内、一方の端部１０ａを第１、第２のロープ通し孔２２、２３に挿通し、他方の端部１０ｂを第３、第４のロープ通し孔２４、２５に挿通したとき、端部１０ａの第１と第２のロープ通し孔２２、２３の間の部分のゴムロープ１０ｃと、端部１０ｂの第３と第４のロープ通し孔２４、２５の間の部分のゴムロープ１０ｄが重なりあって交差するように配設されている。
【００１１】
この実施例では、第１乃至第４のロープ通し孔２２乃至２５の孔径ｃは全て同一であり、孔長ｐも全て同一である。ゴムロープ１０の外径をＣとすると、ｃはＣより少しだけ大きく形成されており、ｐはＣ以上の長さに形成されている。これにより、ゴムロープ２０を先端から第１乃至第４のロープ通し孔２２乃至２５に個別に押し込んだときゴムロープ２０の外面を孔壁に摺接させながら容易に挿通可能になっている。ここでは一例としてゴムロープ２０の外径Ｃが６ｍｍ、ｃが６．５ｍｍ、ｐが８ｍｍに形成されているものとする（なお、ｐをＣより短く、３ｍｍ程度としても良い）。
【００１２】
次に上記の如く構成されたロープ留め具２０の使用方法を説明する。
予め、留め具本体２１と１本のゴムロープ２０を用意する。
図１に示す防護シート２の右側端縁７と防護シート３の左側端縁８を建枠部材１にゴムロープ１０を用いて固定したい場合、ゴムロープ１０を防護シート２のハトメ４、建枠部材１、防護シート３のハトメ５に輪状に巻装し、ゴムロープ１０の両端部の内、一方の端部１０ａを先端側から留め具本体２１の第１のロープ通し孔２２に裏面２１ｂの側から表面２１ａの側へ挿通し、更に、第２のロープ通し孔２３に表面２１ａの側から裏面２１ｂの側へ挿通して先端を留め具本体２１の外部へ引き出す。また、ゴムロープ１０の他方の端部１０ｂを引っ張りながら、先端側から留め具本体２１の第３のロープ通し孔２４に裏面２１ｂの側から表面２１ａの側へ挿通し、更に、第４のロープ通し孔２５に表面２１ａの側から裏面２１ｂの側へ挿通して先端を留め具本体２１の外部へ引き出す。ゴムロープ１０の一方の端部１０ａの第１と第２のロープ通し孔２２、２３の間の部分のゴムロープ１０ｃと、他方の端部１０ｂの第３と第４のロープ通し孔２４、２５の間の部分のゴムロープ１０ｄが重なりあって交差するようにする。
これによりゴムロープ１０の両端部１０ａ、１０ｂが一箇所で固定されて、防護シート２と３が建枠部材１に支持される。
【００１３】
ここで、防護シート２、３が風で煽られて建枠部材１から外れようとしたとき、ゴムロープ１０の内、留め具本体２１の第１のロープ通し孔２２、ハトメ４、ハトメ５、第３のロープ通し孔２４に至る輪状部分１０ｅに大きな張力が発生し、両端部１０ａ、１０ｂが留め具本体２１から外れようとする。けれども、第３、第４のロープ通し孔２４、２５の間の部分のゴムロープ１０ｄが第３のロープ通し孔２４から抜けようとするとき、第１、第２のロープ通し孔２２、２３の間の部分のゴムロープ１０ｃを上から強く押圧するので（図４、図５の矢印Ｃ参照）、ゴムロープ１０ｄと１０ｃの間と１ｃと表面２１ａの間に大きな摩擦が発生して、ゴムロープ１０ｄが第３のロープ通し孔２４から抜けるのが抑止され、ゴムロープ１０ｃも第１のロープ通し孔２２から抜けるのが抑止される。
また、第１、第３のロープ通し孔２２、２４の中でゴムロープ１０の外面が孔壁に摺接して移動し難くなっており、ゴムロープ１０は孔口２６、２７で大きな張力が掛かった状態で略９０度折れ曲がる（図４、図５参照）。この際、ゴムロープ１０は孔口２６、２７に強い力で押圧されて大きな摩擦力が生じるので、ゴムロープ１０には第１、第３のロープ通し孔２２、２４の孔軸方向へ移動させる力は殆ど生じず、これによっても、ゴムロープ１０ｄが第３のロープ通し孔２４から抜けるのが抑止され、ゴムロープ１０ｃも第１のロープ通し孔２２から抜けるのが抑止される。
これにより、確実にゴムロープ１０の両端部１０ａ、１０ｂが留め具本体２１に固定されることになる。
【００１４】
若し、ゴムロープ１０の輪状部分１０ｅが緩く、ピンと張り直したいとき、留め具本体２１の第４のロープ通し孔２５から裏面２１ｂの側へ出たゴムロープ１０の先端部分を、第４のロープ通し孔２５の孔軸に沿って留め具本体２１の表面２１ａの側に押して抜く。そして、抜いたゴムロープ１０の端部１０ｂを第３のロープ通し孔２４の孔軸に沿って留め具本体２１の表面２１ａの方向へ引っ張ってゴムロープ１０の輪状部分１０ｅをピンと張り直し、ゴムロープ１０の端部１０ｂを引っ張ったままゴムロープ１０ｃの上に重ね、第４のロープ通し孔２５に挿通すれば良い。
【００１５】
反対に、ゴムロープ１０の輪状部分１０ｅが強く張りすぎており、少し緩めたいときは、留め具本体２１の第４のロープ通し孔２５から裏面３１ｂの側へ出たゴムロープ１０の先端部分を、第４のロープ通し孔２５の孔軸に沿って留め具本体２の表面２１ａの側に押して抜く。そして、抜いたゴムロープ１０の端部１０ｂを第３のロープ通し孔２４の孔軸に沿って留め具本体２１の裏面２１ｂの方向へ押し、輪状部分１０ｅの張力を少し緩め、再び、ゴムロープ１０の端部１０ｂを第４のロープ通し孔２５に挿通すれば良い。
【００１６】
また、防護シート２、３のハトメ４、５からゴムロープ１０を外したい場合、留め具本体２１の第４のロープ通し孔２５から裏面１０ｂの側へ出たゴムロープ１０の先端部分を、第４のロープ通し孔２５の孔軸に沿って留め具本体２１の表面２１ａの側に押して抜く。更に、ゴムロープ１０の端部１０ｂを第３のロープ通し孔２４の孔軸に沿って留め具本体２１の裏面３１ｂの側に押して抜き、端部１０ｂを留め具本体２１から外せば良い。
【００１７】
この実施例によれば、ゴムロープ１０を用いて建枠部材１に防護シート２、３を取り付けたい場合、防護シート２のハトメ４、建枠部材１、防護シート３のハトメ５に輪状に巻装したゴムロープ１０の両端部の内、一方の端部１０ａを留め具本体２１の裏面２１ｂから表面２１ａへ第１のロープ通し孔２２に挿通し、更に表面２１ａから裏面２１ｂへ第２のロープ通し孔２３に挿通して先端部分を留め具本体２１の外部に引き出し、他方の端部１０ｂを引っ張りながら留め具本体２１の裏面２１ｂから表面２１ａへ第３のロープ通し孔２４に挿通し、更に第１、第２のロープ通し孔２２、２３の間のゴムロープ１０ｃの上に重ねて交差させながら、表面２１ａから裏面２１ｂへ第４のロープ通し孔２５に挿通して先端部分を留め具本体２１の外部に引き出すことにより、ゴムロープ１０の両端を簡単に一箇所で固定できる。
防護シート２、３が風で煽られて建枠部材１から外れようとすると、ゴムロープ１０の内、留め具本体２１の第１のロープ通し孔２２、ハトメ４、ハトメ５、第３のロープ通し孔２４に至る輪状部分１０ｅに大きな張力が発生し、両端部１０ａ、１０ｂが留め具本体２１から外れようとする。けれども、第３、第４のロープ通し孔２４、２５の間の部分のゴムロープ１０ｄが第３のロープ通し孔２４から抜けようとするとき、第１、第２のロープ通し孔２２、２３の間の部分のゴムロープ１０ｃを上から強く押圧するので、ゴムロープ１０ｄと１０ｃの間と１ｃと表面２１ａの間に大きな摩擦が発生して、ゴムロープ１０ｄが第３のロープ通し孔２４から抜けるのが抑止され、ゴムロープ１０ｃも第１のロープ通し孔２２から抜けるのが抑止される。
また、第１、第３のロープ通し孔２２、２４の中でゴムロープ１０の外面が孔壁に摺接して移動し難くなっており、ゴムロープ１０は孔口２６、２７で大きな張力が掛かった状態で略９０度折れ曲がる（図４、図５参照）。この際、ゴムロープ１０は孔口２６、２７に強い力で押圧されて大きな摩擦力が生じるので、ゴムロープ１０には第１、第３のロープ通し孔２２、２４の孔軸方向へ移動させる力は殆ど生じず、これによっても、ゴムロープ１０ｄが第３のロープ通し孔２４から抜けるのが抑止され、ゴムロープ１０ｃも第１のロープ通し孔２２から抜けるのが抑止される。
これにより、確実にゴムロープ１０の両端部１０ａ、１０ｂが留め具本体２１に固定される。
【００１８】
若し、ゴムロープ１０の輪状部分１０ｅが緩く、ピンと張り直したいとき、留め具本体２１の第４のロープ通し孔２５から裏面２１ｂの側へ出たゴムロープ１０の先端部分を、第４のロープ通し孔２５の孔軸に沿って留め具本体２１の表面２１ａの側に押して抜く。そして、抜いたゴムロープ１０の端部１０ｂを第３のロープ通し孔２４の孔軸に沿って留め具本体２１の表面２１ａの方向へ引っ張ってゴムロープ１０の輪状部分１０ｅをピンと張り直し、再び、ゴムロープ１０の端部１０ｂを引っ張ったままゴムロープ１０ｃの上に重ね、第４のロープ通し孔２５に挿通すれば良い。
反対に、ゴムロープ１０の輪状部分１０ｅが強く張りすぎており、少し緩めたいときは、留め具本体２１の第４のロープ通し孔２５から裏面３１ｂの側へ出たゴムロープ１０の先端部分を、第４のロープ通し孔２５の孔軸に沿って留め具本体２の表面２１ａの側に押して抜く。そして、抜いたゴムロープ１０の端部１０ｂを第３のロープ通し孔２４の孔軸に沿って留め具本体２１の裏面２１ｂの方向へ押し、輪状部分１０ｅの張力を少し緩め、再び、ゴムロープ１０の端部１０ｂを第４のロープ通し孔２５に挿通すれば良い。
また、防護シート２、３のハトメ４、５からゴムロープ１０を外したい場合、留め具本体２１の第４のロープ通し孔２５から裏面１０ｂの側へ出たゴムロープ１０の先端部分を、第４のロープ通し孔２５の孔軸に沿って留め具本体２１の表面２１ａの側に押して抜く。更に、ゴムロープ１０の端部１０ｂを第３のロープ通し孔２４の孔軸に沿って留め具本体２１の裏面２１ｂの側に押して抜き、端部１０ｂを留め具本体２１から外せば良い。
このように、本実施例のロープ留め具２０によれば、ゴムロープ１０の張力の調節、ロープ取り付け対象や留め具本体２１へのゴムロープ１０の取り付け、取り外しを容易に行うことができる。
【００１９】
なお、上記した実施例の変形例として、図５に示す如く、留め具本体２１Ａの第２、第４のロープ通し孔２３、２５と留め具本体２１Ａの左右端縁の間にスリット２８、２９を設け、このスリット２８、２９をゴムロープ１０の外径より幅が狭く、ゴムロープ１０を差し込んで外部と第２、第４のロープ通し孔２３、２５の間で挿脱自在に形成することで、ゴムロープ１０の端部１０ａ、１０ｂを第２、第４のロープ通し孔２３、２５に挿通したり、抜いたりする際、スリット２８、２９の中を端部１０ａ、１０ｂを移動させて行なうようにしても良い（図６の矢印Ｄ、Ｅ参照）。
【００２０】
また、他の変形例として、図７に示す如く、留め具本体２１Ｂに第５、第６のロープ通し孔３０、３１を追加し、ゴムロープ１０の一方の端部１０ａを３つの第１、第２、第５のロープ通し孔２２、２３、３０に挿通可能とし、他方の端部１０ｂを３つの第３、第４、第６のロープ通し孔２４、２５、３１に挿通可能とすることにより、ゴムロープ１０の両端部をより確実に固定できるようにしても良い。この場合、留め具本体２１Ｂの左右端縁と第５、第６のロープ通し孔３０、３１の間に、図６のスリット３０、３１と同様のスリット（図示せず）を形成しても良い。
【００２１】
また、上記した実施例では、留め具本体を木製とした例を挙げたが、本考案は何らこれに限定されず、硬質プラスチック製としたり、金属製としても良い。
また、留め具本体を略方形板状としたが、円盤状、楕円状、多角形状、球状、フットボール状などの形状としても良い。
また、留め具本体の表面に文字・図柄・絵などを印刷または描画したり、本体に文字・図柄・図柄・絵などを透かし彫りしたりすることにより意匠を施しても良い。
また、上記した実施例ではロープ取り付け対象として、防護シートを例に挙げたが、本考案は何らこれに限定されず、掲示板、看板、幕、テントなどの種々のものを対象とできる。
また、ロープの種類もゴムロープに限定されず、繊維製、プラスチック製などでも良い。
【産業上の利用可能性】
【００２２】
本考案は、ロープ取り付け対象にゴム製、繊維製、プラスチック製などのロープを巻装して両端部を固定する場合に適用可能である。
【符号の説明】
【００２３】
１０  ゴムロープ
２０  ロープ留め具
２１  留め具本体
２２  第１のロープ通し孔
２３  第２のロープ通し孔
２４  第３のロープ通し孔
２５  第４のロープ通し孔
【図１】
0003213913.tif 000003
【図２】
0003213913.tif 000004
【図３】
0003213913.tif 000005
【図４】
0003213913.tif 000006
【図５】
0003213913.tif 000007
【図６】
0003213913.tif 000008
【図７】
0003213913.tif 000009